(57)【要約】      （修正有）【課題】入力装置を備えた腕時計及びその製造方法を提供する。【解決手段】入力装置は、カバー部１０、ケース部２０、裏蓋２６、透明導電膜１２及び機能モジュール１８を含む。カバー部１０、ケース部２０及び裏蓋２６は、上から下へ順番に構成されて収容空間を形成する。透明導電膜１２は、カバー部１０の下面に形成される。機能モジュール１８は、タッチ検出ユニット及びプロセッサを含む。タッチ検出ユニットは、透明導電膜１２により信号変化を検出する。信号変化は、カバー部１０において操作を行うことによって発生する。プロセッサは、信号変化のモードに応じて対応するコマンドを出力する。入力装置、電磁波のケース部２０からの影響を抑え、操作を容易にすることができる。【選択図】図３
2018155727.tif 000002
【特許請求の範囲】
【請求項１】
カバー部と、
ケース部と、
前記カバー部、前記ケース部と共に上から下へ順番に構成されて収容空間を形成する裏蓋と、
前記カバー部の下面に形成され、前記カバー部の前記下面に形成された後に前記カバー部との組み合わせ構造が７０％以上の透過率を有し、前記カバー部との組み合わせ構造において映像が表示されない透明導電膜と、
前記収容空間内に設置される機能モジュールと、を含み、
前記機能モジュールは、
前記カバー部または前記カバー部の上方において操作を行うことによって発生する信号変化を、前記透明導電膜により検出するためのタッチ検出ユニットと、
前記信号変化を受けて、前記信号変化に応じて対応するコマンドを出力するプロセッサと、を含むことを特徴とする入力装置。
【請求項２】
前記収容空間内に設置される表示素子をさらに含むことを特徴とする請求項１に記載の入力装置。
【請求項３】
前記透明導電膜は、互いに電気的に切り離される複数の領域に仕切られることを特徴とする請求項１に記載の入力装置。
【請求項４】
カバー部と、
ケース部と、
前記カバー部、前記ケース部と共に上から下へ順番に構成されて収容空間を形成する裏蓋と、
前記カバー部の下面に形成され、前記カバー部の前記下面に形成された後に前記カバー部との組み合わせ構造が７０％以上の透過率を有し、前記カバー部との組み合わせ構造において映像が表示されない透明導電膜と、
前記収容空間内に設置される機能モジュールと、を含み、
前記機能モジュールは、
前記透明導電膜により移動端末と無線通信を行う無線通信ユニットと、
前記カバー部または前記カバー部の上方において操作を行うことによって発生する信号変化を、前記透明導電膜により検出するためのタッチ検出ユニットと、
前記信号変化を受けて、前記信号変化に応じて対応するコマンドを出力するプロセッサと、を含むことを特徴とする入力装置。
【請求項５】
前記透明導電膜は、
前記カバー部の前記下面の一部に形成される通信部と、
前記カバー部の前記下面の他の部分に形成されるセンサ部と、を含み、
前記センサ部は、微少隙間により前記通信部と区分されることを特徴とする請求項４に記載の入力装置。
【請求項６】
前記透明導電膜の前記センサ部は、互いに電気的に切り離される複数の領域に仕切られることを特徴とする請求項５に記載の入力装置。
【請求項７】
前記透明導電膜の前記通信部は、短距離の通信アンテナであることを特徴とする請求項５に記載の入力装置。
【請求項８】
前記収容空間内に設置される表示素子をさらに含むことを特徴とする請求項４に記載の入力装置。
【請求項９】
前記収容空間内に設置される時間表示素子をさらに含むことを特徴とする請求項４に記載の入力装置。
【請求項１０】
前記時間表示素子は、実体の時間目盛りと、前記時間目盛りの上方に設置される少なくとも１つのインジケーターとを含むことを特徴とする請求項９に記載の入力装置。
【請求項１１】
前記時間表示素子は、時間をデジタル表示する表示装置であることを特徴とする請求項９に記載の入力装置。
【請求項１２】
透明基材と、
前記透明基材の一面に形成され、前記透明基材の前記一面に形成された後に前記透明基材との組み合わせ構造が７０％以上の透過率を有し、前記透明基材との組み合わせ構造において映像が表示されない透明導電膜と、
前記透明導電膜に電気的に接続される機能モジュールと、を含み、
前記機能モジュールは、
前記透明基材または前記透明基材の上方において操作を行うことによって発生する信号変化を、前記透明導電膜により検出するためのタッチ検出ユニットと、
前記信号変化を受けて、前記信号変化に応じて対応するコマンドを出力するプロセッサと、を含むことを特徴とする入力装置。
【請求項１３】
前記透明導電膜は、互いに電気的に切り離される複数の領域に仕切られることを特徴とする請求項１２に記載の入力装置。
【請求項１４】
上から下へ順番に構成して収容空間を形成するカバー部と、ケース部と、裏蓋とを用意する工程と、
前記カバー部の前記下面に形成された後に前記カバー部との組み合わせ構造が７０％以上の透過率を有し、前記カバー部との組み合わせ構造において映像が表示されない透明導電膜を前記カバー部の下面に形成する工程と、
前記カバー部または前記カバー部の上方において操作を行うことによって発生する信号変化を、前記透明導電膜により検出するためのタッチ検出ユニットと、前記信号変化を受けて前記信号変化のパターンに応じて対応するコマンドを出力するプロセッサとを含む機能モジュールを前記収容空間内に設置する工程と、を含むことを特徴とする入力装置の製造方法。
【請求項１５】
透明基材を用意する工程と、
前記透明基材の前記一面に形成された後に前記透明基材との組み合わせ構造が７０％以上の透過率を有し、前記透明基材との組み合わせ構造において映像が表示されない透明導電膜を前記透明基材の一面に形成する工程と、
前記透明基材または前記透明基材の上方において操作を行うことによって発生する信号変化を、前記透明導電膜により検出するためのタッチ検出ユニットと、前記信号変化を受けて前記信号変化のパターンに応じて対応するコマンドを出力するプロセッサとを含む機能モジュールを、前記透明導電膜に電気的に接続させる工程と、を含むことを特徴とする入力装置の製造方法。
【発明の詳細な説明】
【技術分野】
【０００１】
本発明は、入力分野に関し、特に、入力装置及びその製造方法に関する。
【背景技術】
【０００２】
現在、ウェアラブル装置は、外部装置（例えば、携帯電話）と通信可能な入力装置となり得るように開発されてきた。例えば、腕時計をスマート腕時計にするために、無線アンテナ及び機能モジュールを従来の腕時計（すなわち、指針式腕時計）に取付けることは一般的となっている。従来のスマート腕時計に用いる無線アンテナは、通常、チップアンテナ（ｃｈｉｐ  ａｎｔｅｎｎａ）、螺旋状や渦巻き状アンテナ（Ｈｅｌｉｘ  ｏｒ  Ｓｐｉｒａｌ  ａｎｔｅｎｎａ）、パッチアンテナ（ｐａｔｃｈ  ａｎｔｅｎｎａ）またはループアンテナ（ｌｏｏｐ  ａｎｔｅｎｎａ）等により信号を送受信する。また、チップアンテナ等は、電磁界アンテナであり、即ち、電磁界を利用して信号を送受信する。
【０００３】
従来のスマート腕時計構造は、腕時計表面、文字盤、腕時計ケース、及び底部ケースを含む。なお、文字盤、腕時計ケース、及び底部ケースは上から下へ順番に構成されて収容空間を形成する。アンテナは、腕時計内部の収容空間または腕時計ケース内に設けられる。通常、従来の腕時計の腕時計ケースや底部ケース、文字盤等の、収容空間を形成する部品は金属から製造される。金属が信号を遮断する特徴を有するため、従来のスマート腕時計の収容空間または腕時計ケース内のアンテナにより送受信される信号は、金属から製造される腕時計ケースや底部ケース、文字盤等の部品からの影響を受けてしまう。
【０００４】
収容空間を形成する文字盤や腕時計ケース、底部ケースのうちの少なくとも１つの部品が非金属から製造されたり、少なくとも１つの部品の一部が非金属から製造されたりした場合でも、アンテナは収容空間または腕時計ケース内に設置されると、例えば、収容空間を形成する文字盤、腕時計ケース、底部ケース、または収容空間内に配置されるムーブメント、機能モジュール、電池からの影響を受け、その結果、移動端末との無線通信距離を大幅に短縮してしまう。
【０００５】
また、従来の腕時計は、タッチパネルや電子ダイヤル（押しボタン）を有していない。腕時計内に種々の通信や演算モジュールを増設しても、ジェスチャー認識以外、他の形態で操作することができない。使用者にとっては、腕時計の操作になじむとは限らず、例えば、使用者が腕時計を三回まわすことで携帯電話の音を鳴らす場合に、腕時計に対する正確な操作を熟知していないおそれがあり、それによって腕時計を正しく操作することができないことがある。
【０００６】
そのため、従来技術の問題点を解決する必要があった。
【発明の概要】
【発明が解決しようとする課題】
【０００７】
本発明の目的は、従来技術の問題を解決可能な入力装置及びその製造方法を提供することである。
【課題を解決するための手段】
【０００８】
上記目的を達成するために、本発明の一実施形態に係る入力装置は、カバー部と、ケース部と、前記カバー部、前記ケース部と共に上から下へ順番に構成されて収容空間を形成する裏蓋と、前記カバー部の下面に形成され、前記カバー部との組み合わせ構造が７０％以上の透過率を有する透明導電膜と、前記収容空間内に設置される機能モジュールと、を含む。前記機能モジュールは、前記カバー部または前記カバー部の上方において操作を行うことによって発生する信号変化を、前記透明導電膜により検出するためのタッチ検出ユニットと、前記信号変化を受けて、前記信号変化のパターンに応じて対応するコマンドを出力するプロセッサと、を含む。
【０００９】
本発明の他の実施形態に係る入力装置は、カバー部と、ケース部と、前記カバー部、前記ケース部と共に上から下へ順番に構成されて収容空間を形成する裏蓋と、前記カバー部の下面に形成され、前記カバー部の前記下面に形成された後に前記カバー部との組み合わせ構造が７０％以上の透過率を有し、前記カバー部との組み合わせ構造において映像が表示されない透明導電膜と、前記収容空間内に設置される機能モジュールと、を含む。前記機能モジュールは、前記透明導電膜により移動端末と無線通信を行う無線通信ユニットと、前記カバー部または前記カバー部の上方において操作を行うことによって発生する信号変化を、前記透明導電膜により検出するためのタッチ検出ユニットと、前記信号変化を受けて、前記信号変化に応じて対応するコマンドを出力するプロセッサと、を含む。
【００１０】
本発明の別の実施形態に係る入力装置は、透明基材と、前記透明基材の一面に形成され、前記透明基材の前記一面に形成された後に前記透明基材との組み合わせ構造が７０％以上の透過率を有し、前記透明基材との組み合わせ構造において映像が表示されない透明導電膜と、前記透明導電膜に電気的に接続される機能モジュールと、を含む。前記機能モジュールは、前記透明基材または前記透明基材の上方において操作を行うことによって発生する信号変化を、前記透明導電膜により検出するためのタッチ検出ユニットと、前記信号変化を受けて、前記信号変化に応じて対応するコマンドを出力するプロセッサと、を含む。
【００１１】
本発明の一実施形態に係る入力装置の製造方法は、上から下へ順番に構成して収容空間を形成するカバー部と、ケース部と、裏蓋とを用意する工程と、前記カバー部の前記下面に形成された後に前記カバー部との組み合わせ構造が７０％以上の透過率を有し、前記透明導電膜と前記カバー部との組み合わせ構造において映像が表示されない透明導電膜を前記カバー部の下面に形成する工程と、前記カバー部または前記カバー部の上方において操作を行うことによって発生する信号変化を、前記透明導電膜により検出するためのタッチ検出ユニットと、前記信号変化を受けて前記信号変化のパターンに応じて対応するコマンドを出力するプロセッサとを含む機能モジュールを前記収容空間内に設置する工程と、を含む。
【００１２】
本発明の他の実施形態に係る入力装置の製造方法は、透明基材を用意する工程と、前記透明基材の前記一面に形成された後に前記透明基材との組み合わせ構造が７０％以上の透過率を有し、前記透明基材との組み合わせ構造において映像が表示されない透明導電膜を前記透明基材の一面に形成する工程と、前記透明基材または前記透明基材の上方において操作を行うことによって発生する信号変化を、前記透明導電膜により検出するためのタッチ検出ユニットと、前記信号変化を受けて前記信号変化のパターンに応じて対応するコマンドを出力するプロセッサとを含む機能モジュールを、前記透明導電膜に電気的に接続させる工程と、を含む。
【発明の効果】
【００１３】
本発明に係る入力装置では、透明導電膜がカバー部またはカバー部の上方において行われる操作を検出することができ、すなわち、タッチパネルが設置されなくても、透明導電膜によりカバー部またはカバー部の上方において行われる操作を検出することができ、使用者による装置、例えば、腕時計、電気メーターまたはメガネの操作を容易にすることができる。
【図面の簡単な説明】
【００１４】
【図１】本発明の一実施形態に係る入力装置の平面図である。
【図２】図１の入力装置の分解図である。
【図３】図１の入力装置の断面図である。
【図４】本発明の一実施形態の制御ユニットが移動端末と無線通信を行う状態を示す図である。
【図５】本発明の一実施形態の透明導電膜をカバー部に貼り付けた状態を示す図である。
【図６】図５の範囲Ａの拡大図である。
【図７】本発明の一実施形態の透明導電膜をメガネのレンズに貼り付けた状態を示す図である。
【図８】本発明の一実施形態に係る入力装置の製造方法を示すフローチャートである。
【図９】本発明の他の実施形態に係る入力装置の製造方法を示すフローチャートである。
【発明を実施するための形態】
【００１５】
本発明に係る入力装置は、それに内蔵される短距離通信モジュールを含み、腕時計であってもよいが、これに限定されない。図１は、本発明の一実施形態に係る入力装置の平面図である。図２は、図１の入力装置の分解図である。図３は、図１の入力装置の断面図である。図１〜図３を参照しながら、本発明に係る入力装置を詳しく説明する。
【００１６】
この入力装置は、カバー部１０、透明導電膜１２、時間表示素子１４、ムーブメント１６、機能モジュール１８、ケース部２０、クラウン２２、電池２４及び裏蓋２６を含む。
【００１７】
カバー部１０、ケース部２０及び裏蓋２６は、上から下へ順番に構成されて収容空間２８を形成し、装置内部の機械及び／または電子部品を保護する。
【００１８】
好ましくは、カバー部１０は透明材質（例えば、ガラス）からなり、透明導電膜１２はカバー部１０の下面に貼り付けられて形成される。なお、透明導電膜１２は短距離通信機能を有する。好ましくは、透明導電膜１２は、光透過性の高い構造である。透明導電膜１２がカバー部１０の下面に形成された後でも、カバー部１０と透明導電膜１２との組合せ構造が７０％以上の透過率（ｔｒａｎｓｍｉｔｔａｎｃｅ）を有するため、使用者はカバー部１０を通して時間を確認する場合に透明導電膜１２による影響を受けることがない。
【００１９】
本実施形態では、時間表示素子１４は、収容空間２８内に設置されて機能モジュール１８の上方に位置し、実体の時間目盛り１４０（例えば、１時から１２時）と、時間目盛り１４０の上方に設置される少なくとも１つのインジケーター３０（例えば、実体の時針、分針及び秒針）とを含む。インジケーター３０は、ムーブメント１６によって駆動され、これにより時間表示素子１４上の時間目盛り１４０と合わせて時間を表示する。使用者は、透明のカバー部１０及び透明導電膜１２を介して時間目盛り１４０で示された位置情報（すなわち、時間情報）を見ることができる。
【００２０】
なお、本実施形態では、入力装置が指針式腕時計であり、時間表示素子１４が文字盤である。また、他の実施形態では、腕時計がデジタル式腕時計であり、時間表示素子１４が時間を画面で表示する表示装置である。
【００２１】
クラウン２２は、入力装置の側面に設置される。使用者は、クラウン２２の摘みを回すことで時間を調整したりアラームの時間を設定したりすることができる。
【００２２】
電池２４は、ムーブメント１６及び／又は機能モジュール１８に必要な電力を供給し、使い捨て電池であってもよいし、充電式電池であってもよい。
【００２３】
機能モジュール１８は、収容空間２８内に設置される。図２に示すように、機能モジュール１８は、電気接続基板１８０と、電気接続基板１８０に設置される制御ユニット１８２とを含む。図４は、本発明の一実施形態の制御ユニット１８２が移動端末４０と無線通信を行う状態を示す図である。本発明の制御ユニット１８２は、プロセッサ１８２０、センサ１８２２、無線通信ユニット１８２４及びタッチ検出ユニット１８２６を含む。
【００２４】
この無線通信ユニット１８２４は、プロセッサ１８２０に電気的に接続され、透明導電膜１２を介して移動端末と無線通信を行う。移動端末４０は、無線信号を送受信する無線信号送受信部４２を有する。無線信号送受信部４２は、例えば、ブルートゥース（Ｂｌｕｅｔｏｏｔｈ）(登録商標)トランシーバまたはＮＦＣ（Ｎｅａｒ  Ｆｉｅｌｄ  Ｃｏｍｍｕｎｉｃａｔｉｏｎ，近距離無線通信）トランシーバであってもよい。なお、入力装置が腕時計構造の場合には、機能モジュール１８が腕時計構造のベルトに設置されてもよい。
【００２５】
この機能モジュール１８は、記憶ユニット１８２８をさらに含んでもよい。記憶ユニット１８２８は、プロセッサ１８２０に必要な関連データを記憶する。また、記憶ユニット１８２８は、プロセッサ１８２０に整合されてもよい。
【００２６】
本発明の特徴としては、タッチ検出ユニット１８２６が透明導電膜１２及びプロセッサ１８２０に電気的に接続されることである。使用者が図２のカバー部１０またはカバー部１０の上方において操作を行った場合（例えば、カバー部１０を叩いたり、カバー部１０をスライドしたりした場合）、タッチ検出ユニット１８２６は透明導電膜１２により信号変化（例えば、電流変化）を検出する。この信号変化は、カバー部１０またはカバー部１０の上方において操作を行うことによって発生する。プロセッサ１８２０は、信号変化を受けて、当該信号変化に応じて対応するコマンドを出力する。
【００２７】
例えば、使用者が図２のカバー部１０を一回叩くと、タッチ検出ユニット１８２６は、透明導電膜１２の信号変化（例えば、電流変化）を検出してプロセッサ１８２０に送信する。プロセッサ１８２０は、信号変化に応じて、入力装置をスリープモードから通常動作モードに切り換える。スリープモードとは、入力装置が省電力化を図るために無線通信ユニット１８２４をオフにすることで移動端末４０と通信不能なモードである。また、通常動作モードとは、入力装置が無線通信ユニット１８２４をオンにすることで移動端末４０と通信可能なモードである。
【００２８】
図５と６を参照すると、図５は、本発明の一実施形態の透明導電膜をカバー部に貼り付けた状態を示す図である。図６は、図５のＡの拡大図である。
【００２９】
図５に示すように、透明導電膜１２は、メッシュ状の導電膜であり、実質的に極めて微細な金属ワイヤからなるメッシュ状の構造を有する。このため、使用者はメッシュ状の透明導電膜１２を見ることができない。使用者から見える透明導電膜は、ほぼ透明である。
【００３０】
透明導電膜１２は、通信部１２０及びセンサ部１２２を含んでもよい。通信部１２０は、カバー部１０の下面の一部に貼り付けられて形成される。センサ部１２２は、カバー部１０の下面の他の部分に貼り付けられて形成される。通信部１２０は、センサ部１２２から電気的に切り離される。通信部１２０は、無線通信ユニット１８２４と移動端末４０と間に電気的に接続され、無線通信ユニット１８２４と移動端末４０との間の信号を送受信する。センサ部１２２は、タッチ検出ユニット１８２６に電気的に接続され、信号伝送部３２により信号変化（例えば、電流変化）を図４のタッチ検出ユニット１８２６に送信する。
【００３１】
通信部１２０及びセンサ部１２２の製造方法では、まず、カバー部１０の下面に導電膜を形成し、次に、レーザーパターニング（ｌａｓｅｒ  ｐａｔｔｅｒｎｉｎｇ）により完全な導電膜を通信部１２０及びセンサ部１２２に分割する。センサ部１２２は、微少隙間により通信部１２０と区分され、通信部１２０と互いに影響を及ぼさないようになる。
【００３２】
また、図５に示す実施形態では、センサ部１２２は、第１領域１２２０及び第２領域１２２２に仕切られる。第１領域１２２０及び第２領域１２２２は、電気的に切り離される。使用者が第１領域１２２０から第２領域１２２２にスライドした場合には、第１領域１２２０のセンサ部１２２が信号変化をタッチ検出ユニット１８２６に送信し、第２領域１２２２のセンサ部１２２が信号変化をタッチ検出ユニット１８２６に送信する。プロセッサ１８２０は、両者の信号変化を読み取るとともに、両者の信号変化に応じて対応する操作コマンドを出力する。例えば、プロセッサ１８２０は、入力装置を待機モードから通常動作モードに切り換えたり、特定の制御コマンドを実行したりする。例えば、使用者がカバー部１０を２秒以上押すと、プロセッサ１８２０は対応する操作コマンドを無線通信ユニット１８２４に出力し、これにより、無線通信ユニット１８２４は、ダイヤルするように移動端末４０を通信部１２０により制御する。
【００３３】
他の実施形態では、センサ部１２２は、２つの領域に仕切られずに１つの領域のみを有してもよい。また、別の実施形態では、センサ部１２２は、互いに電気的に切り離される複数の領域に仕切られてもよい。なお、複数の領域の面積は同じであってもよいし、異なってもよい。
【００３４】
なお、図２では、カバー部１０と透明導電膜１２との組合せ構造は、映像表示機能を有していない。より明確に説明すると、本発明に係る入力装置の操作原理は、液晶表示装置やタッチデバイスと異なる。
【００３５】
また、図１に示す入力装置は、腕時計構造である。他の実施形態では、入力装置は、カバー部１０、透明導電膜１２、機能モジュール１８、ケース部２０及び裏蓋２６のみを含んでもよい。すなわち、この装置は、時間表示機能を有さずに入力機能を有する。別の実施形態では、入力装置の機能モジュール１８は、無線通信ユニット１８２４を含まなくてもよい。すなわち、この入力装置は、通信機能及び時間表示機能を有さず、入力機能のみを有する。
【００３６】
図７は、本発明の他の実施形態に係る入力装置を示す図である。
【００３７】
本実施形態では、入力装置はメガネである。入力装置は、透明基材５０及び透明導電膜５２を含む。透明導電膜５２は、透明基材５０の一面に形成され、透明基材５０の一面に形成された後に透明基材５０との組み合わせ構造が７０％以上の透過率を有する。なお、透明導電膜５２と透明基材５０との組み合わせ構造は、映像表示機能を有していない。
【００３８】
一実施形態では、この透明導電膜５２は、一つの領域のみを有してもよい。他の一実施形態では、複数の透明導電膜５２は、互いに電気的に切り離される複数の領域に仕切られてもよい。なお、複数の領域の面積は同じであってもよいし、異なってもよい。
【００３９】
図２、図４〜図７に示すように、機能モジュール１８は、透明導電膜５２に電気的に接続され、少なくとも、タッチ検出ユニット１８２６、プロセッサ１８２０及び無線通信ユニット１８２４を含む。より明確に説明すると、機能モジュール１８は、無線通信で透明導電膜５２に電気的に接続される。
【００４０】
タッチ検出ユニット１８２６は、透明導電膜５２により信号変化を検出する。この信号変化は、透明基材５０または透明基材５０の上方において操作を行うことによって発生する。透明導電膜５２で検出される信号変化は、無線信号送受信部５４を介して機能モジュール１８のプロセッサ１８２０に送信される。プロセッサ１８２０は、信号変換を受けて、当該信号変化に応じて対応するコマンドを出力する。
【００４１】
なお、図７に示す実施形態では、２つのレンズには、透明導電膜５２が設置される。他の実施形態では、透明導電膜５２は、２つのレンズのいずれかに設置されてもよい。また、透明導電膜５２は、透明基材５０の大部分の領域（左レンズ）に形成されてもよいし、透明基材５０の一部の領域（右レンズ）に形成されてもよい。
【００４２】
図８は、本発明の一実施形態に係る入力装置の製造方法を示すフローチャートである。図８を参照しながら、本実施形態に係る入力装置の製造方法を説明する。
【００４３】
ステップＳ８０では、上から下へ順番に構成して収容空間を形成するカバー部と、ケース部と、裏蓋とを用意する。
【００４４】
ステップＳ８２では、カバー部の下面に透明導電膜を形成する。カバー部の下面に透明導電膜を形成した後、カバー部と透明導電膜との組合せ構造が７０％以上の透過率を有する。カバー部と透明導電膜との組み合わせ構造は、映像表示機能を有していない。
【００４５】
ステップＳ８４では、収容空間内に機能モジュールを設置する。機能モジュールは、タッチ検出ユニット及びプロセッサを含む。タッチ検出ユニットは、透明導電膜により信号変化を検出する。信号変化は、カバー部またはカバー部の上方において操作を行うことによって発生する。プロセッサは、信号変化を受けて、当該信号変化のパターンに応じて対応するコマンドを出力する。
【００４６】
図９は、本発明の他の実施形態に係る入力装置の製造方法を示すフローチャートである。図９を参照しながら、本実施形態に係る入力装置の製造方法を説明する。
【００４７】
ステップＳ９０では、透明基材を用意する。
【００４８】
ステップＳ９２では、透明基材の一面に透明導電膜を形成する。透明基材の一面に透明導電膜を形成した後、透明導電膜と透明基材との組合せ構造が７０％以上の透過率を有する。透明導電膜と透明基材との組み合わせ構造は、映像表示機能を有していない。
【００４９】
ステップＳ９４では、透明導電膜に機能モジュールを電気的に接続させる。機能モジュールは、タッチ検出ユニット及びプロセッサを含む。タッチ検出ユニットは、透明導電膜により信号変化を検出する。信号変化は、透明基材または透明基材の上方において操作を行うことによって発生する。プロセッサは、信号変化を受けて、当該信号変化のパターンに応じて対応するコマンドを出力する。
【００５０】
本発明の入力装置では、透明導電膜が収容空間またはケース部の内部に設けられず、カバー部の下面に貼り付けられることでアンテナ構造を形成するため、透明導電膜が信号を送受信する場合、信号がケース部により遮蔽または影響されることはない。また、本発明の透明導電膜構造は、入力装置と外部装置との間の信号を送受信することができるほか、カバー部において行われる操作を検出することもできる。すなわち、本発明に係る入力装置は、タッチパネルが設置されなくても、透明導電膜によりカバー部またはカバー部の上方において行われる操作を検出することができ、使用者による入力装置の操作をより容易にすることができる。
【００５１】
上述したように、本発明は好ましい実施例を開示しているが、該実施例は本発明を限定するものではない。当業者は、本発明の趣旨と範囲を逸脱しない前提で、各種の変更と改良を行うことができ、そのため、本発明の保護範囲は特許請求の範囲に記載されている技術案に準ずる。
【符号の説明】
【００５２】
１０  カバー部
１２、５２ 透明導電膜
１４  時間表示素子
１６  ムーブメント
１８  機能モジュール
２０  ケース部
２２  クラウン
２４  電池
２６  裏蓋
２８  収容空間
３０  インジケーター
３２  信号伝送部
４０  移動端末
４２  無線信号送受信部
５０  透明基材
５４  無線信号送受信部
１２０ 通信部
１２２ センサ部
１４０ 時間目盛り
１８０ 電気接続基板
１８２ 制御ユニット
１２２０ 第１領域
１２２２ 第２領域
１８２０ プロセッサ
１８２２ センサ
１８２４ 無線通信ユニット
１８２６ タッチ検出ユニット
１８２８ 記憶ユニット
Ａ  範囲
Ｓ８０〜Ｓ８４、Ｓ９０〜Ｓ９４  ステップ  
【図１】
2018155727.tif 000003
【図２】
2018155727.tif 000004
【図３】
2018155727.tif 000005
【図４】
2018155727.tif 000006
【図５】
2018155727.tif 000007
【図６】
2018155727.tif 000008
【図７】
2018155727.tif 000009
【図８】
2018155727.tif 000010
【図９】
2018155727.tif 000011